(57)【特許請求の範囲】
【請求項１】
ＬＴＥ（long term evolution）ワイヤレス送信／受信ユニット（ＷＴＲＵ）であって、
ターゲットセルにハンドオーバするハンドオーバコマンドを現在のセルから受信するように構成されている受信機と、
前記受信されたハンドオーバコマンドに従って、前記ターゲットセルにハンドオーバするように構成されているプロセッサであって、前記ハンドオーバコマンドは、シーケンスホッピングイネーブル情報を含む前記ターゲットセルのターゲットシーケンスホッピングパターンを表す情報を含む、プロセッサと、
前記ターゲットシーケンスホッピングパターンを表す前記情報を使用して前記ターゲットセルに送信する手段と
を備えるＬＴＥ  ＷＴＲＵ。
【請求項２】
前記ターゲットシーケンスホッピングパターンを表す前記情報は、物理アップリンク共有制御チャネル（ＰＵＳＣＨ）用である、請求項１のＬＴＥ  ＷＴＲＵ。
【請求項３】
前記ターゲットシーケンスホッピングパターンを表す前記情報は、インターシステムフレーム番号（ＳＦＮ）シーケンスホッピングのための情報を含む、請求項１のＬＴＥ  ＷＴＲＵ。
【請求項４】
ＬＴＥ（long term evolution）基地局であって、
隣接セルの監視されたダウンリンクチャネルを示す情報をワイヤレス送信／受信ユニット（ＷＴＲＵ）から受信するように構成されている受信機と、
前記受信された情報に従って、ターゲットセルにハンドオーバするハンドオーバコマンドをワイヤレス送信／受信ユニット（ＷＴＲＵ）に送信するように構成されている送信機であって、前記ハンドオーバコマンドは、シーケンスホッピングイネーブル情報を含む前記ターゲットセルのターゲットシーケンスホッピングパターンを表す情報を含む、送信機と
を備えるＬＴＥ基地局。
【請求項５】
前記ターゲットシーケンスホッピングパターンを表す前記情報は、物理アップリンク共有制御チャネル（ＰＵＳＣＨ）用である、請求項４のＬＴＥ基地局。
【請求項６】
前記ターゲットシーケンスホッピングパターンを表す前記情報は、インターシステムフレーム番号（ＳＦＮ）シーケンスホッピングのための情報を含む、請求項４のＬＴＥ基地局。
【請求項７】
ＬＴＥ（long term evolution）ワイヤレス送信／受信ユニット（ＷＴＲＵ）において実行される方法であって、前記方法は、
ターゲットセルにハンドオーバするハンドオーバコマンドを現在のセルから受信することと、
前記受信されたハンドオーバコマンドに従って、前記ターゲットセルにハンドオーバすることであって、前記ハンドオーバコマンドは、シーケンスホッピングイネーブル情報を含む前記ターゲットセルのターゲットシーケンスホッピングパターンを表す情報を含む、ことと、
前記ターゲットシーケンスホッピングパターンを表す前記情報を使用して前記ターゲットセルに送信することと
を備える方法。
【請求項８】
前記ターゲットシーケンスホッピングパターンを表す前記情報は、物理アップリンク共有制御チャネル（ＰＵＳＣＨ）用である、請求項７の方法。
【請求項９】
前記ターゲットシーケンスホッピングパターンを表す前記情報は、インターシステムフレーム番号（ＳＦＮ）シーケンスホッピングのための情報を含む、請求項７の方法。
【発明の詳細な説明】
【技術分野】
【０００１】
本願はワイヤレス通信に関する。
【背景技術】
【０００２】
ワイヤレス通信システムは、当技術分野で周知である。ワイヤレスシステムに関するグローバル接続性を実現し、例えばスループット、待ち時間、およびカバレッジに関する性能目標を達成するために通信規格が開発される。ＵＭＴＳ（Universal Mobile Telecommunications Systems）と呼ばれる、広く使用されている現在の規格は、第３世代（３Ｇ）無線システムの一部として開発されたものであり、３ＧＰＰ（Third Generation Partnership Project）によって管理される。
【０００３】
図１は、従来型パケット最適化無線アクセスネットワーク、この場合はＵＴＲＡＮ（UMTS Terrestrial Radio Access Network）を示す。ＵＴＲＡＮは、１つまたは複数の無線ネットワークコントローラ（ＲＮＣ）１０４と、３ＧＰＰでＮｏｄｅ−Ｂと呼ばれる基地局１０２とを有し、それらが集合的に、３ＧＰＰでユーザ装置（ＵＥ）と呼ばれるＷＴＲＵ１００とのワイヤレス通信のための地理的カバレッジを実現する。Ｎｏｄｅ−Ｂ１０２の地理的カバレッジエリアはセルと呼ばれる。ＵＴＲＡＮは、コアネットワーク（ＣＮ）１０６に接続される。
【０００４】
３ＧＰＰ（Third Generation Partnership Project）のＥ−ＵＴＲＡ（Evolved Universal Mobile Telecommunications System(UMTS) Terrestrial Radio Access）プログラムおよびＵＴＲＡＮ（UMTS Terrestrial Radio Access Network）プログラムの目的は、データ転送速度が高く、待ち時間が短く、システムキャパシティおよびカバレッジが改善されたパケット最適化無線アクセスネットワークを開発することである。こうした目標を達成するために、無線インターフェースならびに無線ネットワークアーキテクチャの発展を考慮に入れるべきである。例えば、３ＧＰＰで現在使用されている符号分割多元接続（ＣＤＭＡ）を使用する代わりに、直交周波数分割多元接続（ＯＦＤＭＡ）およびＦＤＭＡが、それぞれダウンリンクおよびアップリンクで使用するように提案されるエアインターフェース技術である。提案される別の変更は、ＬＴＥ（long term evolution）プロジェクトですべてのパケット交換サービスを適用することである。このことは、音声呼出しがパケット交換式に行われることを意味する。
【０００５】
そのようなパケット最適化無線アクセスネットワークで、物理アップリンク制御チャネル（ＰＵＣＣＨ）および物理アップリンク共有チャネル（ＰＵＳＣＨ）に関する基準シンボル（ＲＳ）のシーケンスホッピング（ＳＨ）を使用することができる。例えば、Ｄ−ＢＣＨ（dynamic broadcast channel）内の１ビットを使用して、ＳＨがＰＵＣＣＨ  ＲＳ、肯定応答／否定応答（ＡＣＫ／ＮＡＣＫ）信号、またはチャネル品質指標（ＣＱＩ）について使用可能かどうかを示すことができる。選択は、ＰＵＣＣＨとＰＵＳＣＨのどちらにも適用することができるが、必ずしも同一のホッピングパターンではない。
【０００６】
ホッピングが使用不能にされる場合、シーケンスグループを明示的に指示することができる。通常、３０グループを指示するのに５ビットが使用される。ホッピングが使用可能にされる場合、ホッピングパターンのシグナリングをやはり決定すべきである（Ｄ−ＢＣＨまたはセル特有）。異なるセルで使用されるＳＨパターンは異なることがあるので、現セルからターゲットセルへのハンドオーバ中に生じる可能性のある基準シンボル、ＡＣＫ／ＮＡＣＫ信号、ＣＱＩなどについてのＳＨパターン変化に関するシグナリング方法およびシグナリング装置を有することが望ましい。
【発明の概要】
【０００７】
現ＳＨパターンを有する現セルからのハンドオーバ中にアップリンクチャネルのシーケンスホッピング（ＳＨ）パターンを更新する方法および装置が開示される。
【図面の簡単な説明】
【０００８】
添付の図面と共に例示として与えられる以下の説明から、より詳細な理解を得ることができる。
【０００９】
【図１】ＵＴＲＡＮなどの従来型パケット最適化無線アクセスネットワークを示す概略ブロック図である。
【図２】パケット最適化無線アクセスネットワークのいくつかのセルに対するワイヤレス送信／受信ユニット（ＷＴＲＵ）の例示的な空間的位置を示す略図である。
【図３】本願による例示的ＷＴＲＵのいくつかの特徴を示す概略ブロック図である。
【図４】ＷＴＲＵのハンドオーバ中にアップリンクチャネルのＳＨパターンを更新する例示的方法を示す流れ図である。
【図５】本願による別の例示的ＷＴＲＵのいくつかの特徴を示す概略ブロック図である。
【図６】ＷＴＲＵのハンドオーバ中にアップリンクチャネルのＳＨパターンを更新する別の例示的方法を示す流れ図である。
【発明を実施するための形態】
【００１０】
以下で参照するとき、「ワイヤレス送信／受信ユニット（ＷＴＲＵ）」という用語は、限定はしないがユーザ装置（ＵＥ）、移動局、固定サブスクライバユニットもしくはモバイルサブスクライバユニット、ページャ、携帯電話、携帯情報端末（ＰＤＡ）、コンピュータ、またはワイヤレス環境で動作することのできる任意の他のタイプのユーザ装置を含む。以下で参照するとき、「基地局」という用語は、限定はしないがＮｏｄｅ−Ｂ、サイトコントローラ、アクセスポイント（ＡＰ）、またはワイヤレス環境で動作することのできる任意の他のタイプのインターフェース装置を含む。以下で参照するとき、「セル」という用語は、基地局に関連する領域を指し、その中でＷＴＲＵが基地局と通信することができる。隣接するセルが重なり合うことがあることに留意されたい。さらに、例えば基地局がその中ではモバイルユニットであることがあるメッシュネットワーク内などで、セルが互いに対して移動する可能性がある。
【００１１】
本願は、ＷＴＲＵの現セルから、異なるＳＨパターンを有する可能性のあるターゲットセルへのＷＴＲＵのハンドオーバ中に、アップリンクチャネルのシーケンスホッピング（ＳＨ）パターンを更新する方法および装置を含む。
【００１２】
図２は、パケット最適化無線アクセスネットワーク内の現セル２０２および隣接セル２０４ａ〜ｃの中のＷＴＲＵ２００の例示的な空間的配置を示す。図２の矢印は、様々なセルとＷＴＲＵ２００との間のアップリンクチャネルおよび／またはダウンリンクチャネルを概略的に示す。この例示的パケット最適化無線アクセスネットワークの動作中に、例示的ＷＴＲＵ２００は、セルに対して移動することができ、かつ／またはセルのうちの１つまたは複数が、他のセルに対して移動することができる。こうした相対的移動により、ＷＴＲＵ２００とパケット最適化無線アクセスネットワークとの間の通信信号の、現セル２０２から隣接セル２０４ａ〜ｃのうちの１つへのハンドオーバが望ましいことがある。
【００１３】
本明細書の教示は、そのようなハンドオーバ中にアップリンクチャネルのＳＨパターンを更新する方法、およびこうした方法を実施するように構成された装置を含む。図３は、ハンドオーバ中にアップリンクチャネルのＳＨパターンを更新するように構成される例示的ＷＴＲＵ３００のいくつかの特徴を示す。こうした特徴は、隣接セル信号プロセッサ３０１、送信機３０３、ターゲットセル識別プロセッサ３０６、およびターゲットセル信号プロセッサ３０８を含む。
【００１４】
隣接セル信号プロセッサ３０１が、各隣接セルの少なくとも１つのダウンリンクチャネル３０２を監視し、監視されるダウンリンクチャネルを示す情報を現セルに送信するように構成される。各隣接セルの監視されるダウンリンクチャネル（複数可）３０２はブロードキャストチャネル（ＢＣＨ）を含むことができる。
【００１５】
送信機３０３は、隣接セルの監視されるダウンリンクチャネル３０２を示す情報をアップリンクチャネル３０４上で現セルに送信することができ、アップリンクチャネル３０４は、物理層アップリンク制御チャネル（ＰＵＣＣＨ）または物理層アップリンク共有チャネル（ＰＵＳＣＨ）でよい。
【００１６】
隣接セル信号プロセッサ３０１は、それぞれの監視されるダウンリンクチャネルについて、監視されるダウンリンクチャネルに関連する測定情報を決定することにより、各隣接セルのダウンリンクチャネル（複数可）３０２を監視するように構成される。次いで、監視されるダウンリンクチャネル３０２を示す情報が、この関連する測定情報から決定される。
【００１７】
監視されるダウンリンクチャネル３０２を示す情報は、１つまたは複数の選択基準に従う順序で配置された所定の数の隣接セルのリストを含むことができる。こうした選択基準は、トリガ量の減少やレポート量の減少などの、関連するダウンリンクチャネルの様々な特性を示すことができる。各隣接セルのトリガ量は、隣接セルの監視されるダウンリンクチャネル（複数可）の基準信号受信電力（ＲＳＲＰ）または基準信号受信品質（ＲＳＲＱ）のうちの少なくとも一方に基づく。各隣接セルのレポート量も、ダウンリンクチャネル（複数可）のこれらの検出された特性の一方または両方に基づくことができる。
【００１８】
これとは別に、送信機３０３によって送信される隣接セルの監視されるダウンリンクチャネルを示す情報は、それぞれの監視されるダウンリンクチャネル３０２のＲＳＲＰ、ＲＳＲＱ、またはチャネル品質情報（ＣＱＩ）を含むこともできる。
【００１９】
ターゲットセル識別プロセッサ３０６は、現セルからハンドオーバコマンドを受信する前に、隣接セルの中から予想されるターゲットセルを識別するように構成される。上述のように、隣接セル信号プロセッサ３０１は、所定の期間内に、それぞれの監視されるダウンリンクチャネルについて、監視されるダウンリンクチャネルに関連する測定情報を決定することにより、各隣接セルの少なくとも１つのダウンリンクチャネル３０２を監視するように構成することができる。ターゲットセル識別プロセッサ３０６は、隣接セルの監視されるダウンリンクチャネルのこの測定情報に基づいて、予想されるターゲットセルを選択することができる。
【００２０】
ターゲットセル信号プロセッサ３０８は、予想されるターゲットセルの共通ダウンリンクチャネル３１０、例えばブロードキャストチャネル（ＢＣＨ）を監視し、ターゲットセルのアップリンクチャネル、例えば物理アップリンク制御チャネル（ＰＵＣＣＨ）または物理アップリンク共有チャネル（ＰＵＳＣＨ）のターゲットＳＨパターンを表す情報を決定するように構成される。この決定は、現セルからハンドオーバコマンドを受信する前に行うことができ、その結果、ＷＴＲＵ３００は、予想されるターゲットセルがハンドオーバコマンドで識別される実際のハンドオーバセルと一致すると仮定して、ハンドオーバコマンドの受信時に直ちにそのアップリンクＳＨパターンを更新することができる。
【００２１】
ターゲットセルのＳＨパターンを表す情報は、ＳＨイネーブル／ディスエーブル情報、ターゲットＳＨパターンの絶対インターサブフレーム番号（ＳＦＮ）タイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む。
【００２２】
ターゲットセル信号プロセッサ３０８は、ターゲットセルのアップリンクチャネルの基準シンボル（ＲＳ）、ＣＱＩ、または肯定応答／否定応答（ＡＣＫ／ＮＡＣＫ）のうちの１つに関するターゲットＳＨパターンを表す情報を決定するように構成される。
【００２３】
図４は、現セルからターゲットセルへのハンドオーバ中にアップリンクチャネルのＳＨパターンを更新する例示的方法を示す。この例示的方法は、図３の例示的ＷＴＲＵ３００などのＷＴＲＵを使用して実施することができる。
【００２４】
ステップ４００で、現セルの複数の隣接セルのそれぞれの少なくとも１つのダウンリンクチャネルが監視される。各隣接セルの監視されるダウンリンクチャネル（複数可）は、ＢＣＨを含むことができる。
【００２５】
ステップ４０２で、隣接セルの監視されるダウンリンクチャネルを示す情報が、現セルに送信される。隣接セルの監視されるダウンリンクチャネルを示す情報が、アップリンクチャネル上で現セルに送信され、アップリンクチャネルは、ＰＵＣＣＨまたはＰＵＳＣＨでよい。
【００２６】
それぞれの監視されるダウンリンクチャネルについて、監視されるダウンリンクチャネルに関連する測定情報を決定することにより、各隣接セルのダウンリンクチャネル（複数可）が監視される。次いで、監視されるダウンリンクチャネルを示す情報が、この関連する測定情報から決定される。
【００２７】
監視されるダウンリンクチャネルを示す情報は、１つまたは複数の選択基準に従う順序で配置された所定の数の隣接セルのリストを含むことができる。こうした選択基準は、トリガ量の減少やレポート量の減少などの、関連するダウンリンクチャネルの様々な特性を示すことができる。各隣接セルのトリガ量は、隣接セルの監視されるダウンリンクチャネル（複数可）のＲＳＲＰまたはＲＳＲＱのうちの少なくとも一方に基づく。各隣接セルのレポート量も、ダウンリンクチャネル（複数可）のこれらの検出された特性の一方または両方に基づくことができる。
【００２８】
これとは別に、送信される隣接セルの監視されるダウンリンクチャネルを示す情報は、それぞれの監視されるダウンリンクチャネルのＲＳＲＰ、ＲＳＲＱ、またはＣＱＩを含むこともできる。
【００２９】
現セルからハンドオーバコマンドを受信する前に、ステップ４０４で、ターゲットセルが、監視する隣接セルの中から予想され、ステップ４０６で、予想されるターゲットセルの共通ダウンリンクチャネルが監視され、ターゲットセルのターゲットＳＨパターンを表す情報が決定される。
【００３０】
上述のように、それぞれの監視されるダウンリンクチャネルについて、監視されるダウンリンクチャネルに関連する測定情報を決定することにより、各隣接セルの少なくとも１つのダウンリンクチャネルを監視することができる。予想されるターゲットセルが、隣接セルの監視されるダウンリンクチャネルのこの測定情報に基づいて選択される。
【００３１】
予想されるターゲットセルの共通ダウンリンクチャネル、例えばＢＣＨが監視され、ターゲットセルのアップリンクチャネル、例えばＰＵＣＣＨまたはＰＵＳＣＨのターゲットＳＨパターンを表す情報が決定される。
【００３２】
ターゲットセルのＳＨパターンを表す情報は、ＳＨイネーブル／ディスエーブル情報、ターゲットＳＨパターンの絶対インターＳＦＮタイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む。
【００３３】
ターゲットＳＨパターンは、それを表す情報が決定されるが、ターゲットセルのアップリンクチャネルのＲＳ、ＣＱＩ、またはＡＣＫ／ＮＡＣＫ信号のうちの１つでよい。
【００３４】
図５は、本願の別の例示的実施形態であるＷＴＲＵ５００を示す。ＷＴＲＵ５００は、隣接セル信号プロセッサ３０１、送信機３０３、およびダウンリンク信号受信機５０１を含むことができる。
【００３５】
隣接セル信号プロセッサ３０１は、現セルからハンドオーバコマンドを受信する前に、現セルの各隣接セルの少なくとも１つのダウンリンクチャネルを監視するように構成される。送信機３０３は、隣接セル信号プロセッサ３０１に結合され、現セルからハンドオーバコマンドを受信する前に、隣接セルの監視されるダウンリンクチャネルを示す情報を現セルに送信する。ＷＴＲＵ５００の隣接セル信号プロセッサ３０１および送信機３０３は、それぞれ、上記で詳細に説明した、ＷＴＲＵ３００の例示的隣接セル信号プロセッサ３０１および例示的送信機３０３と同様に機能することができる。
【００３６】
ダウンリンク信号受信機５０１は、ターゲットセルの識別と、ターゲットセルのターゲットＳＨパターンを表す情報とを含むハンドオーバコマンドを現セルから受信するように構成される。
【００３７】
予想されるターゲットセルの共通ダウンリンクチャネル５０２、例えばＢＣＨを監視することができ、ターゲットセルのアップリンクチャネル、例えばＰＵＣＣＨまたはＰＵＳＣＨのターゲットＳＨパターンを表す情報が、ダウンリンク信号受信機で決定される。
【００３８】
ターゲットセルのＳＨパターンを表す情報は、ＳＨイネーブル／ディスエーブル情報、ターゲットＳＨパターンの絶対インターＳＦＮタイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む。
【００３９】
ターゲットＳＨパターンは、それを表す情報が決定されるが、ターゲットセルのアップリンクチャネルのＲＳ、ＣＱＩ、またはＡＣＫ／ＮＡＣＫ信号のうちの１つでよい。
【００４０】
図６は、現セルからターゲットセルへのハンドオーバ中にアップリンクチャネルのＳＨパターンを更新する別の例示的方法を示す。この例示的方法は、図５の例示的ＷＴＲＵ５００などのＷＴＲＵを使用して実施することができる。
【００４１】
ステップ６００で、現セルの複数の隣接セルのそれぞれの少なくとも１つのダウンリンクチャネルを監視することができる。図４の例示的方法と同様に、各隣接セルの監視されるダウンリンクチャネル（複数可）は、ＢＣＨを含むことができる。
【００４２】
ステップ６０２で、隣接セルの監視されるダウンリンクチャネルを示す情報を現セルに送信することができる。図４の例示的方法を参照しながら上記で説明した手順のうちのいずれかを使用して、隣接セルの監視されるダウンリンクチャネルを示す情報を現セルに送信することができる。
【００４３】
ステップ６０４で、ターゲットセルの識別と、ターゲットセルのターゲットＳＨパターンを表す情報とを含むハンドオーバコマンドが、現セルから受信される。ターゲットＳＨパターンを示す情報は、ターゲットセルのアップリンクチャネル、例えばＰＵＣＣＨまたはＰＵＳＣＨに関するものでよい。
【００４４】
ターゲットセルのＳＨパターンを表す情報は、ＳＨイネーブル／ディスエーブル情報、ターゲットＳＨパターンの絶対インターＳＦＮタイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む。
【００４５】
ターゲットＳＨパターンは、それを表す情報が決定されるが、ターゲットセルのアップリンクチャネルのＲＳ、ＣＱＩ、またはＡＣＫ／ＮＡＣＫ信号のうちの１つでよい。
【００４６】
特徴および要素を特定の組合せで説明したが、各特徴もしくは要素を他の特徴および要素を用いずに単独で使用することができ、または他の特徴および要素を伴う、もしくは伴わない様々な組合せで使用することができる。提供される方法は、汎用コンピュータまたはプロセッサで実行するためにコンピュータ可読記憶媒体で有形に実施されたコンピュータプログラム、ソフトウェア、またはファームウェアで実装することができる。コンピュータ可読記憶媒体の例は、読取り専用メモリ（ＲＯＭ）、ランダムアクセスメモリ（ＲＡＭ）、レジスタ、キャッシュメモリ、半導体メモリ装置、内部ハードディスクや取外し可能ディスクなどの磁気媒体、光磁気媒体、ＣＤ−ＲＯＭディスクやデジタルバーサタイルディスク（ＤＶＤ）などの光媒体を含む。
【００４７】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態マシンを含むことができる。本明細書に記載の様々なプロセッサは、別々の要素で実施することができる。これとは別に、こうした例示的プロセッサのうちの２つ以上が単一のプロセッサ要素内に共存することも企図される。
【００４８】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用するための無線周波数トランシーバを実装することができる。ＷＴＲＵをモジュールと共に使用することができ、カメラ、ビデオカメラモジュール、ビデオフォン、スピーカフォン、バイブレーション装置、スピーカ、マイクロフォン、テレビジョントランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／もしくはワイヤレスローカルエリアネットワーク（ＷＬＡＮ）モジュールなどのハードウェアならびに／またはソフトウェアで実装することができる。
【００４９】
本願は、ＷＴＲＵのハンドオーバ中にアップリンクチャネルのＳＨパターンを更新する例示的装置および例示的方法を含む。本明細書では特定の実施形態を参照しながら本願を図示し、説明したが、本願は、図示した細部に限定されないものとする。むしろ、特許請求の範囲の均等物の範囲内で、本出願から逸脱することなく、細部で様々な修正を行うことができる。
【００５０】
実施形態
実施形態１．現ＳＨパターンを有する現セルからのハンドオーバ中にアップリンクチャネルのシーケンスホッピング（ＳＨ）パターンを更新する方法。
【００５１】
実施形態２．現セルの複数の隣接セルのそれぞれの少なくとも１つのダウンリンクチャネルを監視すること、複数の隣接セルの監視されるダウンリンクチャネルを示す情報を現セルに送信すること、ならびに現セルからハンドオーバコマンドを受信する前に、複数の隣接セルの中からターゲットセルを予想すること、および予想されるターゲットセルの共通ダウンリンクチャネルを監視し、ターゲットセルのターゲットＳＨパターンを表す情報を決定することを含む実施形態１の方法。
【００５２】
実施形態３．複数の隣接セルのそれぞれの少なくとも１つの監視されるダウンリンクチャネルがブロードキャストチャネルを含む実施形態１または２のいずれか１つの方法。
【００５３】
実施形態４．複数の隣接セルの監視されるダウンリンクチャネルを示す情報が、物理層アップリンク制御チャネルまたは物理層共有チャネル上で現セルに送信される実施形態１〜３のいずれか１つの方法。
【００５４】
実施形態５．複数の隣接セルの監視されるダウンリンクチャネルを示す情報が、隣接セルのリストを含み、隣接セルのリストが、トリガ量の減少またはレポート量の減少のうちの１つの順序で配置された所定の数の隣接セルを有し、各隣接セルのトリガ量が、隣接セルの少なくとも１つの監視されるダウンリンクチャネルの基準信号受信電力、または隣接セルの少なくとも１つの監視されるダウンリンクチャネルの基準信号受信品質のうちの少なくとも１つに基づき、各隣接セルのレポート量が、隣接セルの少なくとも１つの監視されるダウンリンクチャネルの基準信号受信電力、または隣接セルの少なくとも１つの監視されるダウンリンクチャネルの基準信号受信品質のうちの少なくとも１つに基づく実施形態１〜４のいずれか１つの方法。
【００５５】
実施形態６．複数の隣接セルの監視されるダウンリンクチャネルを示す情報が、それぞれの監視されるダウンリンクチャネルの基準信号受信電力、それぞれの監視されるダウンリンクチャネルの基準信号受信品質、またはそれぞれの監視されるダウンリンクチャネルのチャネル品質情報のうちの少なくとも１つを含む実施形態１〜４のいずれか１つの方法。
【００５６】
実施形態７．複数の隣接セルのそれぞれの少なくとも１つのダウンリンクチャネルを監視することが、それぞれの監視されるダウンリンクチャネルについて、監視されるダウンリンクチャネルの測定情報を決定することを含み、複数の隣接セルの監視されるダウンリンクチャネルを示す情報が、関連する測定情報から決定される実施形態１〜６のいずれか１つの方法。
【００５７】
実施形態８．複数の隣接セルのそれぞれの少なくとも１つのダウンリンクチャネルを監視することが、それぞれの監視されるダウンリンクチャネルについて、監視されるダウンリンクチャネルの測定情報を決定することを含み、ターゲットセルを予想することが、複数の隣接セルの監視されるダウンリンクチャネルの測定情報に基づいて、複数の隣接セルの中から予想されるターゲットセルを選択することを含む実施形態１〜７のいずれか１つの方法。
【００５８】
実施形態９．複数の隣接セルのそれぞれの監視されるダウンリンクチャネルに関連する測定情報が、それぞれの監視されるダウンリンクチャネルの基準信号受信電力、それぞれの監視されるダウンリンクチャネルの基準信号受信品質、またはそれぞれの監視されるダウンリンクチャネルのチャネル品質情報のうちの少なくとも１つを含む実施形態８の方法。
【００５９】
実施形態１０．予想されるターゲットセルの監視される共通ダウンリンクチャネルが、予想されるターゲットセルのブロードキャストチャネルである実施形態１〜９のいずれか１つの方法。
【００６０】
実施形態１１．ターゲットセルのターゲットＳＨパターンを表す情報が、ＳＨイネーブル／ディスエーブル情報、ターゲットＳＨパターンの絶対インターサブフレーム番号（ＳＦＮ）タイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む実施形態１〜１０のいずれか１つの方法。
【００６１】
実施形態１２．決定された情報が表すターゲットセルのターゲットＳＨパターンが、ターゲットセルのアップリンクチャネルの基準シンボル、ターゲットセルのアップリンクチャネルのチャネル品質指標、またはターゲットセルのアップリンクチャネルの肯定応答／否定応答信号のうちの１つである実施形態１〜１１のいずれか１つの方法。
【００６２】
実施形態１３．決定された情報がそれに関するターゲットＳＨパターンを表すターゲットセルのアップリンクチャネルが、ターゲットセルの物理アップリンク制御チャネル、またはターゲットセルの物理アップリンク共有チャネルのうちの少なくとも１つである実施形態１〜１２のいずれか１つの方法。
【００６３】
実施形態１４．現ＳＨパターンを有する現セルからのハンドオーバ中にアップリンクチャネルのシーケンスホッピング（ＳＨ）パターンを更新する方法であって、ターゲットセルの識別と、ターゲットセルのターゲットＳＨパターンを表す情報とを含むハンドオーバコマンドを現セルから受信することを含む方法。
【００６４】
実施形態１５．現セルからハンドオーバコマンドを受信する前に、現セルの複数の隣接セルのそれぞれの少なくとも１つのダウンリンクチャネルを監視すること、および複数の隣接セルの監視されるダウンリンクチャネルを示す情報を現セルに送信することをさらに含む実施形態１４の方法。
【００６５】
実施形態１６．複数の隣接セルのそれぞれの少なくとも１つの監視されるダウンリンクチャネルが、ブロードキャストチャネルを含む実施形態１５の方法。
【００６６】
実施形態１７．複数の隣接セルの監視されるダウンリンクチャネルを示す情報が、アップリンク専用制御チャネル上で現セルに送信される実施形態１５または１６のいずれか１つの方法。
【００６７】
実施形態１８．複数の隣接セルの監視されるダウンリンクチャネルを示す情報が、隣接セルのリストを含み、隣接セルのリストが、トリガ量の減少またはレポート量の減少のうちの１つの順序で配置された所定の数の隣接セルを有し、各隣接セルのトリガ量が、隣接セルの少なくとも１つの監視されるダウンリンクチャネルの基準信号受信電力、または隣接セルの少なくとも１つの監視されるダウンリンクチャネルの基準信号受信品質のうちの少なくとも１つに基づき、各隣接セルのレポート量が、隣接セルの少なくとも１つの監視されるダウンリンクチャネルの基準信号受信電力、または隣接セルの少なくとも１つの監視されるダウンリンクチャネルの基準信号受信品質のうちの少なくとも１つに基づく実施形態１５〜１７のいずれか１つの方法。
【００６８】
実施形態１９．複数の隣接セルの監視されるダウンリンクチャネルを示す情報が、それぞれの監視されるダウンリンクチャネルの基準信号受信電力、それぞれの監視されるダウンリンクチャネルの基準信号受信品質、またはそれぞれの監視されるダウンリンクチャネルのチャネル品質情報のうちの少なくとも１つを含む実施形態１５〜１７のいずれか１つの方法。
【００６９】
実施形態２０．複数の隣接セルのそれぞれの少なくとも１つのダウンリンクチャネルを監視することが、それぞれの監視されるダウンリンクチャネルについて、監視されるダウンリンクチャネルに関連する測定情報を決定することを含み、複数の隣接セルの監視されるダウンリンクチャネルを示す情報が、関連する測定情報から決定される実施形態１５〜１９のいずれか１つの方法。
【００７０】
実施形態２１．複数の隣接セルのそれぞれの監視されるダウンリンクチャネルに関連する測定情報が、それぞれの監視されるダウンリンクチャネルの基準信号受信電力、それぞれの監視されるダウンリンクチャネルの基準信号受信品質、またはそれぞれの監視されるダウンリンクチャネルのチャネル品質情報のうちの少なくとも１つを含む実施形態２０の方法。
【００７１】
実施形態２２．ターゲットセルのターゲットＳＨパターンを表す情報が、ＳＨイネーブル／ディスエーブル情報、ターゲットＳＨパターンの絶対インターサブフレーム番号（ＳＦＮ）タイミング情報、ターゲットＳＨパターンと現ＳＨパターンとの間の相対インターＳＦＮタイミング情報、ターゲットＳＨパターンの絶対イントラＳＦＮタイミング情報、ターゲットＳＨパターンと現ＳＨパターンとの間の相対イントラＳＦＮタイミング情報、ターゲットＳＨパターンの絶対開始タイミング情報、ターゲットＳＨパターンと現ＳＨパターンとの間の相対開始タイミング情報、ターゲットＳＨパターンの絶対ＳＨパターン持続時間情報、ターゲットＳＨパターンと現ＳＨパターンとの間の相対ＳＨパターン持続時間情報、ターゲットＳＨパターンの絶対ＳＨパターン周期性情報、ターゲットＳＨパターンと現ＳＨパターンとの間の相対ＳＨパターン周期性情報のうちの少なくとも１つを含む実施形態１４〜２１のいずれか１つの方法。
【００７２】
実施形態２３．決定された情報が表すターゲットセルのターゲットＳＨパターンが、ターゲットセルのアップリンクチャネルの基準シンボル、ターゲットセルのアップリンクチャネルのチャネル品質指標、またはターゲットセルのアップリンクチャネルの肯定応答／否定応答信号のうちの１つである実施形態１４〜２２のいずれか１つの方法。
【００７３】
実施形態２４．決定された情報がそれに関するターゲットＳＨパターンを表すターゲットセルのアップリンクチャネルが、ターゲットセルの物理アップリンク制御チャネル、またはターゲットセルの物理アップリンク共有チャネルのうちの少なくとも１つである実施形態１４〜２３のいずれか１つの方法。
【００７４】
実施形態２５．実施形態１〜２４のいずれか１つの方法を使用して、現ＳＨパターンを有する現セルからのハンドオーバ中にアップリンクチャネルのシーケンスホッピング（ＳＨ）パターンを更新するように構成されたワイヤレス送信／受信ユニット（ＷＴＲＵ）。
【図１】
0005922731.tif 000002
【図２】
0005922731.tif 000003
【図３】
0005922731.tif 000004
【図４】
0005922731.tif 000005
【図５】
0005922731.tif 000006
【図６】
0005922731.tif 000007